(57)【要約】【課題】  簡易構造の道路用消雪の配管構造を提供すること。【解決手段】  道路１若しくは消雪ブロック２に内装される水管３と、道路１上面若しくは消雪ブロック２上面に適当間隔を置いて露出状態に設けられる散水ノズル４に導水する導水管５とを接続する道路用消雪の配管構造であって、前記水管３に適当間隔を置いて連結孔６を形成し、この連結孔６に螺着連結し得る連結管部７Ａを継手管体７の一端部に突設して、この連結管部７Ａを連結孔６に螺着連結することで前記水管３に継手管体７を連結し得るように構成し、この連結管部７Ａの基部に当接部７Ｂを設け、この連結管部７Ａを前記連結孔６に螺着連結する際、前記当接部７Ｂに座金８を当接すると共に、連結管部７Ａに弾性と防水性を有するリング状の漏止部材９を被嵌して、この漏止部材９を座金８と連結孔６周囲の水管３表面との間に締付固定し、この連結管部７Ａを連結孔６に螺着連結することで水管３に連結した継手管体７の反対端部に前記導水管５を連結する。【選択図】      図１
2006022617.tif 000002
【特許請求の範囲】
【請求項１】
道路若しくは消雪ブロックに内装される水管と、道路上面若しくは消雪ブロック上面に適当間隔を置いて露出状態に設けられる散水ノズルに導水する導水管とを接続する道路用消雪の配管構造であって、前記水管に適当間隔を置いて連結孔を形成し、この連結孔に螺着連結し得る連結管部を継手管体の一端部に突設して、この連結管部を連結孔に螺着連結することで前記水管に継手管体を連結し得るように構成し、この連結管部の基部に当接部を設け、この連結管部を前記連結孔に螺着連結する際、前記当接部に座金を当接すると共に、連結管部に弾性と防水性を有するリング状の漏止部材を被嵌して、この漏止部材を座金と連結孔周囲の水管表面との間に締付固定し、この連結管部を連結孔に螺着連結することで水管に連結した継手管体の反対端部に前記導水管を連結する構造としたことを特徴とする道路用消雪の配管構造。
【請求項２】
道路若しくは消雪ブロックに内装される水管と、道路上面若しくは消雪ブロック上面に適当間隔を置いて露出状態に設けられる散水ノズルに導水する導水管とを接続する道路用消雪の配管構造であって、前記水管に適当間隔を置いて連結孔を形成し、この連結孔に螺着連結し得る連結管部を継手管体の一端部に突設して、この連結管部を連結孔に螺着連結することで前記水管に継手管体を連結し得るように構成し、この連結管部の基部に当接部を設け、この連結管部を前記連結孔に螺着連結する際、連結管部に弾性と防水性を有するリング状の漏止部材を被嵌して、この漏止部材を前記当接部と連結孔周囲の水管表面との間に締付固定すると共に、この当接部の周囲に前記漏止部材の周囲を囲繞する囲繞部を連設して、締付固定した漏止部材をこの囲繞部で位置決めし、この連結管部を連結孔に螺着連結することで水管に連結した継手管体の反対端部に前記導水管を連結する構造としたことを特徴とする道路用消雪の配管構造。
【請求項３】
道路若しくは消雪ブロックに内装される水管と、道路上面若しくは消雪ブロック上面に適当間隔を置いて露出状態に設けられる散水ノズルに導水する導水管とを接続する道路用消雪の配管構造であって、前記水管に適当間隔を置いて連結孔を形成し、この連結孔に螺着連結し得る連結管部を継手管体の一端部に突設して、この連結管部を連結孔に螺着連結することで前記水管に継手管体を連結し得るように構成し、この連結管部の基部に当接部を設け、この連結管部を前記連結孔に螺着連結する際、連結管部に弾性と防水性を有するリング状の漏止部材を被嵌して、この漏止部材を前記当接部と連結孔周囲の水管表面との間に締付固定すると共に、前記漏止部材の孔縁に、前記連結管部基部の当接部が略丁度嵌合し得る嵌合部を設けて、締付固定した漏止部材をこの当接部と嵌合部との嵌合により位置決めし、この連結管部を連結孔に螺着連結することで水管に連結した継手管体の反対端部に前記導水管を連結する構造としたことを特徴とする道路用消雪の配管構造。
【発明の詳細な説明】
【技術分野】
【０００１】
本発明は、道路用消雪の配管構造に関するものである。
【背景技術】
【０００２】
この種の道路用消雪の配管構造として、例えば、特許第２９６５８９９号（特許文献１）がある。
【０００３】
この特許文献１を説明すると、路面に埋設される送水管、若しくは路面に設置される消雪ブロック体内の送水管から所定間隔で立ち上がり分岐管を分岐し、頂面に融雪水の噴出口を設けた散水ノズルを、前記分岐管に接続し、散水ノズルの頂面のみを路面上若しくはブロック体の上面上に露出させてなる路面散水融雪システムにおいて、送水管及び分岐管のいずれか一方若しくは双方に、所定の径の塩ビ管を使用し、分岐管接続位置に、所定径の連結孔を穿設し、分岐管が内挿嵌されるソケット管部とソケット管部の周囲に送水管の外周面に密着する形状の鍔板部を有するソケット体を形成し、前記連結孔の周囲部分と鍔板部との接着でソケット体を固定し、ソケット管部に分岐管を接続してなるものである。
【０００４】
【特許文献１】特許第２９６５８９９号公報
【発明の開示】
【発明が解決しようとする課題】
【０００５】
本発明者は、上記特許文献１よりも簡易な配管構造の実現を目的として商品開発を進め、本発明の道路用消雪の配管構造を完成させた。
【課題を解決するための手段】
【０００６】
添付図面を参照して本発明の要旨を説明する。
【０００７】
道路１若しくは消雪ブロック２に内装される水管３と、道路１上面若しくは消雪ブロック２上面に適当間隔を置いて露出状態に設けられる散水ノズル４に導水する導水管５とを接続する道路用消雪の配管構造であって、前記水管３に適当間隔を置いて連結孔６を形成し、この連結孔６に螺着連結し得る連結管部７Ａを継手管体７の一端部に突設して、この連結管部７Ａを連結孔６に螺着連結することで前記水管３に継手管体７を連結し得るように構成し、この連結管部７Ａの基部に当接部７Ｂを設け、この連結管部７Ａを前記連結孔６に螺着連結する際、前記当接部７Ｂに座金８を当接すると共に、連結管部７Ａに弾性と防水性を有するリング状の漏止部材９を被嵌して、この漏止部材９を座金８と連結孔６周囲の水管３表面との間に締付固定し、この連結管部７Ａを連結孔６に螺着連結することで水管３に連結した継手管体７の反対端部に前記導水管５を連結する構造としたことを特徴とする道路用消雪の配管構造に係るものである。
【０００８】
また、道路１若しくは消雪ブロック２に内装される水管３と、道路１上面若しくは消雪ブロック２上面に適当間隔を置いて露出状態に設けられる散水ノズル４に導水する導水管５とを接続する道路用消雪の配管構造であって、前記水管３に適当間隔を置いて連結孔６を形成し、この連結孔６に螺着連結し得る連結管部７Ａを継手管体７の一端部に突設して、この連結管部７Ａを連結孔６に螺着連結することで前記水管３に継手管体７を連結し得るように構成し、この連結管部７Ａの基部に当接部７Ｂを設け、この連結管部７Ａを前記連結孔６に螺着連結する際、連結管部７Ａに弾性と防水性を有するリング状の漏止部材９を被嵌して、この漏止部材９を前記当接部７Ｂと連結孔６周囲の水管３表面との間に締付固定すると共に、この当接部７Ｂの周囲に前記漏止部材９の周囲を囲繞する囲繞部10を連設して、締付固定した漏止部材９をこの囲繞部10で位置決めし、この連結管部７Ａを連結孔６に螺着連結することで水管３に連結した継手管体７の反対端部に前記導水管５を連結する構造としたことを特徴とする道路用消雪の配管構造に係るものである。
【０００９】
また、道路１若しくは消雪ブロック２に内装される水管３と、道路１上面若しくは消雪ブロック２上面に適当間隔を置いて露出状態に設けられる散水ノズル４に導水する導水管５とを接続する道路用消雪の配管構造であって、前記水管３に適当間隔を置いて連結孔６を形成し、この連結孔６に螺着連結し得る連結管部７Ａを継手管体７の一端部に突設して、この連結管部７Ａを連結孔６に螺着連結することで前記水管３に継手管体７を連結し得るように構成し、この連結管部７Ａの基部に当接部７Ｂを設け、この連結管部７Ａを前記連結孔６に螺着連結する際、連結管部７Ａに弾性と防水性を有するリング状の漏止部材９を被嵌して、この漏止部材９を前記当接部７Ｂと連結孔６周囲の水管３表面との間に締付固定すると共に、前記漏止部材９の孔縁に、前記連結管部７Ａ基部の当接部７Ｂが略丁度嵌合し得る嵌合部11を設けて、締付固定した漏止部材９をこの当接部７Ｂと嵌合部11との嵌合により位置決めし、この連結管部７Ａを連結孔６に螺着連結することで水管３に連結した継手管体７の反対端部に前記導水管５を連結する構造としたことを特徴とする道路用消雪の配管構造に係るものである。
【発明の効果】
【００１０】
本発明は上述のように構成したから、簡易構造にして水管と導水管とを確実に漏止状態で連結できる上、配管連結作業も容易に行われる極めて実用性に秀れた画期的な道路用消雪の配管構造となる。
【発明を実施するための最良の形態】
【００１１】
好適と考える本発明の実施形態（発明をどのように実施するか）を、図面に基づいて本発明の作用を示して簡単に説明する。
【００１２】
・請求項１記載の発明
継手管体７の当接部７Ｂに座金８を当接すると共に、連結管部７Ａにリング状の漏止部材９を被嵌し、この連結管部７Ａを水管３に適当間隔を置いて形成した各連結孔６に螺着連結すると、水管３に適当間隔を置いて継手管体７が連結すると共に、継手管体７の螺動作動により当接部７Ｂが水管３に対し接近移動して、各連結孔６周囲の水管３表面と各継手管体７の当接部７Ｂに当接した座金８との間に漏止部材９が（弾圧状態に）締付固定され、この連結管部７Ａと連結孔６との連結部分が漏止部材９によって密閉されることになる。
【００１３】
また、この際、当接部７Ｂが座金８を介して漏止部材９を略均等に圧縮するため、ねじ込みにより漏止部材９がよじれ変形して密閉性を損なうようなことがないし、連結管部７Ａと連結孔６との連結部分の密閉度にも偏りを生じにくく、よって、連結管部７Ａと連結孔６との連結部分ではその略全周部分で極めて良好な密閉（漏止）作用が得られることになる。
【００１４】
この水管３に連結した継手管体７の前記連結管部７Ａと反対端部に導水管５を連結することで、水管３へ送水された水が継手管体７を介して導水管５から散水ノズル４へと導水し、散水ノズル４から道路１へと散水することになる。
【００１５】
従って、本発明は、単に当接部７Ｂに座金８を当接し且つ連結管部７Ａに漏止部材９を被嵌した継手管体７のこの連結管部７Ａを連結孔６にねじ込み（螺着連結）すると共に、この継手管体７の反対端部に導水管５を連結するだけで配管の連結作業が完了するため、非常に施工作業性に秀れ、しかも、上記したように連結部分に良好な密閉作用が得られる信頼性の高い構造でありながら、この配管構造は非常にシンプルな構造であるため、簡易に設計実現可能となる。
【００１６】
・請求項２記載の発明
継手管体７の連結管部７Ａにリング状の漏止部材９を被嵌し、この連結管部７Ａを水管３に適当間隔を置いて形成した各連結孔６に螺着連結すると、水管３に適当間隔を置いて継手管体７が連結すると共に、継手管体７の螺動作動により当接部７Ｂが水管３に対し接近移動して、各連結孔６周囲の水管３表面と各継手管体７の当接部７Ｂとの間に漏止部材９が（弾圧状態に）締付固定され、この連結管部７Ａと連結孔６との連結部分が漏止部材９によって密閉されることになる。
【００１７】
また、この際、当接部７Ｂが漏止部材９に当接すると共に、囲繞部10が前記漏止部材９の周囲を囲繞して漏止部材９を位置決め状態に保持するため、ねじ込みにより漏止部材９がよじれ変形して密閉性を損なうようなことがないし、漏止部材９が位置決めされていることで当接部７Ｂが漏止部材９を略均等に圧縮するため、連結管部７Ａと連結孔６との連結部分の密閉度にも偏りを生じにくく、よって、連結管部７Ａと連結孔６との連結部分ではその略全周部分で極めて良好な密閉（漏止）作用が得られることになる。
【００１８】
この水管３に連結した継手管体７の前記連結管部７Ａと反対端部に導水管５を連結することで、水管３へ送水された水が継手管体７を介して導水管５から散水ノズル４へと導水し、散水ノズル４から道路１へと散水することになる。
【００１９】
従って、本発明は、単に連結管部７Ａに漏止部材９を被嵌した継手管体７のこの連結管部７Ａを連結孔６にねじ込み（螺着連結）すると共に、この継手管体７の反対端部に導水管５を連結するだけで配管の連結作業が完了するため、非常に施工作業性に秀れ、しかも、上記したように連結部分に良好な密閉作用が得られる信頼性の高い構造でありながら、この配管構造は非常にシンプルな構造であるため、簡易に設計実現可能となる。
【００２０】
・請求項３記載の発明
継手管体７の連結管部７Ａにリング状の漏止部材９を被嵌し、この連結管部７Ａを水管３に適当間隔を置いて形成した各連結孔６に螺着連結すると、水管３に適当間隔を置いて継手管体７が連結すると共に、継手管体７の螺動作動により当接部７Ｂが水管３に対し接近移動して各連結孔６周囲の水管３表面と各継手管体７の当接部７Ｂとの間に漏止部材９が（弾圧状態で）締付固定され、この連結管部７Ａと連結孔６との連結部分が漏止部材９によって密閉されることになる。
【００２１】
また、この際、漏止部材９の孔縁の嵌合部11に当接部７Ｂが略丁度嵌合当接して位置決め状態となるため、ねじ込みにより位置決められた漏止部材９の孔縁を当接部７Ｂが略均等に圧縮することになり、これにより連結管部７Ａと連結孔６との連結部分の密閉度には偏りを生じにくく、よって、連結管部７Ａと連結孔６との連結部分ではその略全周部分で極めて良好な密閉（漏止）作用が得られることになる。
【００２２】
この水管３に連結した継手管体７の前記連結管部７Ａと反対端部に導水管５を連結することで、水管３へ送水された水が継手管体７を介して導水管５から散水ノズル４へと導水し、散水ノズル４から道路１へと散水することになる。
【００２３】
従って、本発明は、単に連結管部７Ａに漏止部材９を被嵌した継手管体７のこの連結管部７Ａを連結孔６にねじ込み（螺着連結）すると共に、この継手管体７の反対端部に導水管５を連結するだけで配管の連結作業が完了するため、非常に施工作業性に秀れ、しかも、上記したように連結部分に良好な密閉作用が得られる信頼性の高い構造でありながら、この配管構造は非常にシンプルな構造であるため、簡易に設計実現可能となる。
【実施例１】
【００２４】
本発明の具体的な実施例１について図１〜図３に基づいて説明する。
【００２５】
本実施例は、水管３に適当間隔を置いて連結孔６を形成し、この連結孔６に継手管体７を介して散水ノズル４に導水する導水管５を接続する構造である。
【００２６】
具体的に説明すると、継手管体７は、管内が円筒形をなす管体を採用している。また、この管継手体７は、図１，図２に示すように、一端部（図面下端部）の外径を反対端部よりも小径化すると共に、一端部の内径も反対端部の内径よりも小径化し、更に中程部の外形を平面視角形（六角形状）に形成して、この角形部を螺着回動操作用の操作部７Ｃとしている。
【００２７】
また、この継手管体７の小径の一端部には、外面に螺子を形成してこの一端部を連結管部７Ａとし、水管３に形成した連結孔６の孔縁にも螺子を形成することで、この連結管部７Ａを連結孔６に螺着連結し得るように構成している。
【００２８】
また、この継手管体７の反対端部には、前記導水管５を内嵌挿した上、例えば粘着剤や接着剤を用いるなどの適宜な接続手段によって連結固定し得るように構成している。また、この際、継手管体７の一端部と反対端部との内径の相違によって形成された内部中程の段差部に導水管５の挿入端部を位置決め状態にして連結固定できるように構成している（図２参照）。
【００２９】
また、本実施例では、この連結管部７Ａの基部に当接部７Ｂを設けて、この連結管部７Ａを前記連結孔６に螺着連結する際、この連結管部７Ａにリング状の座金８を被嵌して前記当接部７Ｂに当接すると共に、弾性を有し且つ防水性を有するリング状の漏止部材９をこの連結管部７Ａに被嵌することで、連結孔６周囲の水管３表面と前記当接部７Ｂに当接した座金８との間に漏止部材９を弾圧状態にして固定し得るように構成している。
【００３０】
具体的に説明すると、当接部７Ｂは、継手管体７外面の前記連結管部７Ａとの段差部分であるドーナツリング状の平面部で構成している。
【００３１】
座金８は、中心孔の径が前記連結管部７Ａの外径よりもやや径大となる円盤形の平座金８を採用して、前記ドーナツリング状の当接部７Ｂにこの座金８の一側面（図面の上側面）の略全面が当接し得るようにしている。
【００３２】
漏止部材９は、平面視形状を前記座金８と略同形状とした薄厚なゴム製リングを採用している。また、このリング状の漏止部材９は、一側面（図面の上側面）を平坦面形状としてこのリング状の上面の全面に前記座金８の他側面（図面の下側面）の全面が当接し得るように構成し、他側面（図面の下側面）を前記水管３の外面形状に対応する湾曲面形状としている。
【００３３】
従って、座金８と漏止部材９の上面とを略同形状にしたことで、連結管部７Ａを連結孔６に螺着連結した際、このねじ込みによる当接部７Ｂの押圧力によってこの座金８が漏止部材９の上面の全面を略均等に弾圧するように作用し、これによりこの螺着（締付）連結時に漏止部材９には座金８（当接部７Ｂ）の弾圧によるねじれや変形を生じにくくなる。よって、本実施例では、ねじれや変形を生じ易い軟質ゴム製リングを漏止部材９として採用することもでき、軟質ゴム製の漏止部材９を採用すれば、連結管部７Ａと連結孔６との連結部分に弾圧された漏止部材９が良好に密着して、高い水密性（漏止効果）を発揮することになるので好ましい。
【００３４】
次に、本実施例の具体的な施工手順を説明する。
【００３５】
先ず、水管３に適当間隔を置いて連結孔６を形成し、更にこの各連結孔６の孔内縁に螺子を形成する。
【００３６】
次いで、継手管体７の一端部に突設した連結管部７Ａにリング状の座金８を被嵌してこの座金８を当接部７Ｂに当接すると共に、この連結管部７Ａにリング状の漏止部材９を被嵌し、この連結管部７Ａを水管３に適当間隔を置いて形成した各連結孔６に螺着連結する。
【００３７】
この際、連結管部７Ａの反対端部の前記操作部７Ｃにスパナやモンキーレンチを装着して簡単に回動操作することができる。
【００３８】
すると、水管３に適当間隔を置いて継手管体７が連結されると共に、各連結孔６周囲の水管３表面と各継手管体７の当接部７Ｂに当接した座金８との間に漏止部材９が弾圧状態で固定されて、この連結管部７Ａと連結孔６との連結部分が密閉される。
【００３９】
また、連結管部７Ａを連結孔６にねじ込んだ際には、当接部７Ｂがリング状の座金８を介して略同形状の漏止部材９の上面の全面を略均等に圧縮するため、漏止部材９によじれ変形を生じにくいと共に、連結管部７Ａと連結孔６との連結部分の密閉度（締付度）に偏りがなく、この連結管部７Ａと連結孔６との連結部分ではその略全周部分で極めて良好な密閉作用が得られることになる。
【００４０】
次いで、この水管３に連結した継手管体７の反対端部に、散水ノズル４に導水する導水管５を連結すると、図３に示すような道路用消雪設備が完成する。
【００４１】
尚、図３では、消雪ブロック２に前記水管３を内装し、この消雪ブロック２上面に適当間隔を置いて露出状態に散水ノズル４が設けられる構成としているが、道路１に水管３を内装して道路１上面に散水ノズル４が露出する構成の道路用消雪設備を施工することもできる。
【実施例２】
【００４２】
本発明の具体的な実施例２について図４，図５に基づいて説明する。
【００４３】
本実施例は、前記実施例１とは、継手管体７の形状が若干異なる。また、本実施例では座金８は使用しない。
【００４４】
具体的に説明すると、本実施例の継手管体７は、前記当接部７Ｂの周囲に、前記漏止部材９の周囲を囲繞する囲繞部10を連設して、弾圧状態に固定した漏止部材９をこの囲繞部10で位置決めする構成としている。
【００４５】
更に詳しくは、図４，図５に示すように、当接部７Ｂを前記実施例１のそれよりも同心円状にやや広く形成してこの当接部７Ｂの全面が漏止部材９の上面に当接し得るように構成し、この当接部７Ｂの全周囲に垂下壁部を一体的に連設してこの垂下壁部を前記囲繞部10としている。
【００４６】
また、本実施例の漏止部材９は、実施例１と同じものを採用し、この漏止部材９の上面全面を前記当接部７Ｂの全面に当接した際には、この漏止部材９の全周囲に存する囲繞部10によって（囲繞部10の内面の略全面に漏止部材９の外周面が当接することによって）漏止部材９がほとんど横ずれしない位置決め状態となるように構成している。
【００４７】
従って、この当接部７Ｂが漏止部材９の上面の全面を略均等に弾圧するように作用し、これにより螺着（締付）連結時に漏止部材９には当接部７Ｂの弾圧によるねじれや変形を生じにくくなる。よって、本実施例も、前記実施例１と同様に、ねじれや変形を生じ易い軟質ゴム製リングを漏止部材９として採用することができ、高い水密性（漏止効果）を発揮する構成にできる。
【００４８】
次に、本実施例の具体的な施工手順を説明する。
【００４９】
先ず、水管３に適当間隔を置いて連結孔６を形成し、更にこの各連結孔６の孔内縁に螺子を形成する。
【００５０】
次いで、継手管体７の連結管部７Ａにリング状の漏止部材９を被嵌した上、この連結管部７Ａを水管３に適当間隔を置いて形成した各連結孔６に螺着連結すると、水管３に適当間隔を置いて継手管体７が接続されると共に、各連結孔６周囲の水管３表面と各継手管体７の当接部７Ｂとの間に漏止部材９が弾圧状態で固定されて、この連結管部７Ａと連結孔６との連結部分が密閉される。
【００５１】
また、連結管部７Ａを連結孔６にねじ込みした際には、当接部７Ｂが漏止部材９に当接すると共に、囲繞部10が前記漏止部材９の全周囲を囲繞して漏止部材９を位置決め状態に保持するため、このねじ込みにより漏止部材９がよじれ変形を生じにくいと共に、漏止部材９が位置決めされていることで当接部７Ｂが漏止部材９の上面の全面を略均等に圧縮するため、連結管部７Ａと連結孔６との連結部分の密閉度（締付度）に偏りがなく、この連結管部７Ａと連結孔６との連結部分ではその略全周部分で極めて良好な密閉作用が得られることになる。
【００５２】
次いで、この水管３に連結した継手管体７の反対端部に、散水ノズル４に導水する導水管５を連結する。
【実施例３】
【００５３】
本発明の具体的な実施例３について図６，図７に基づいて説明する。
【００５４】
本実施例も、前記実施例１とは、継手管体７の形状が若干異なる。また、本実施例でも座金８は使用しない。
【００５５】
具体的に説明すると、本実施例では、リング状の前記漏止部材９の孔縁に、前記連結管部７Ａの基部の当接部７Ｂが略丁度嵌合し得る嵌合部11を設けて、弾圧状態に固定した漏止部材９をこの当接部７Ｂと嵌合部11との嵌合により位置決めする構成としている。
【００５６】
更に説明すると、図６，図７に示すように、漏止部材９の上面の孔縁部分を、連結管部７Ａの基部と連設する継手管体７の（当接部７Ｂの）形状（丸型形状）に略合致する丸型形状に凹設し、この凹設部を前記嵌合部11として、この嵌合部11に当接部７Ｂを嵌合すると継手管体７に対し漏止部材９が位置決め状態に保持される構成としている。
【００５７】
また、本実施例では、継手管体７の反対端部を角形形状の操作部７Ｃとし、中程部はこの操作部７Ｃよりも径小な断面丸型形状に形成して、この丸型の中程部が前記嵌合部11に嵌合する構成としている。
【００５８】
また、本実施例の場合、漏止部材９の上面の略全面を弾圧する前記実施例１，実施例２とは異なり、当接部７Ｂで上面真中の嵌合部11だけを弾圧する構成のため、漏止部材９の上面に対して略均等な弾圧作用を付与することができない。そのため、漏止部材９が軟質なものであると、締付弾圧時に漏止部材９にねじれや変形が発生して漏止作用を十分に発揮できなくなるおそれがあるので、本実施例の漏止部材９は、実施例１，実施例２で採用したゴムよりも硬質な素材製（例えば、テフロン（登録商標）製）とすることが望ましい。
【００５９】
次に、本実施例の具体的な施工手順を説明する。
【００６０】
先ず、水管３に適当間隔を置いて連結孔６を形成し、更にこの各連結孔６の孔内縁に螺子を形成する。
【００６１】
次いで、継手管体７の連結管部７Ａにリング状の漏止部材９を被嵌した上、この連結管部７Ａを水管３に適当間隔を置いて形成した各連結孔６に螺着連結すると、水管３に適当間隔を置いて継手管体７が接続されると共に、各連結孔６周囲の水管３表面と各継手管体７の当接部７Ｂとの間に漏止部材９が弾圧状態で固定されて、この連結管部７Ａと連結孔６との連結部分が密閉される。
【００６２】
また、連結管部７Ａを連結孔６にねじ込みした際には、漏止部材９の孔縁の嵌合部11に当接部７Ｂが略丁度嵌合当接して位置決め状態となるため、このねじ込みにより位置決めされた漏止部材９の孔縁を当接部７Ｂが略均等に圧縮することになり、これにより連結管部７Ａと連結孔６との連結部分の密閉度（締付度）に偏りがなく、この連結管部７Ａと連結孔６との連結部分ではその略全周部分で極めて良好な密閉作用が得られることになる。
【００６３】
次いで、この水管３に連結した継手管体７の反対端部に、散水ノズル４に導水する導水管５を連結する。
【００６４】
尚、本発明は、実施例１〜３に限られるものではなく、各構成要件の具体的構成は適宜設計し得るものである。
【図面の簡単な説明】
【００６５】
【図１】実施例１の要部を示す拡大分解斜視図である。
【図２】実施例１を示す拡大断面図である。
【図３】実施例１の完成状態を示す概略説明斜視図である。
【図４】実施例２の要部を示す拡大分解斜視図である。
【図５】実施例２を示す拡大断面図である。
【図６】実施例３の要部を示す拡大分解斜視図である。
【図７】実施例３を示す拡大断面図である。
【符号の説明】
【００６６】
１  道路
２  消雪ブロック
３  水管
４  散水ノズル
５  導水管
６  連結孔
７  継手管体
７Ａ  連結管部
７Ｂ  当接部
８  座金
９  漏止部材
10  囲繞部
11  嵌合部
【図１】
2006022617.tif 000003
【図２】
2006022617.tif 000004
【図３】
2006022617.tif 000005
【図４】
2006022617.tif 000006
【図５】
2006022617.tif 000007
【図６】
2006022617.tif 000008
【図７】
2006022617.tif 000009